(57)【要約】【課題】  エクステンション装着用の睫毛が植毛されており、しかもそれを数回にわたって使用できる睫毛エクステンション装着練習用マネキン顔を提供することを目的とする。【解決手段】  本発明による睫毛エクステンション装着練習用マネキン顔は、人間の睫毛が生えている箇所と同じ瞼の端部に、睫毛エクステンションを装着するための練習用睫毛が植毛された睫毛エクステンション装着練習用マネキン顔であって、前記練習用睫毛の長さが人間の睫毛の長さより長いことを特徴とする。【選択図】図４
2014136091.tif 000002
【特許請求の範囲】
【請求項１】
人間の睫毛が生えている箇所と同じ瞼の端部に、睫毛エクステンションを装着するための練習用睫毛が植毛された睫毛エクステンション装着練習用マネキン顔であって、前記練習用睫毛の長さが人間の睫毛の長さより長いことを特徴とする睫毛エクステンション装着練習用マネキン顔。
【請求項２】
前記練習用睫毛の本数が、人間の睫毛の本数より多い請求項１の睫毛エクステンション装着練習用マネキン顔。
【請求項３】
前記練習用睫毛が、ランダムに植毛されている請求項１または２の睫毛エクステンション装着練習用マネキン顔。
【請求項４】
前記練習用睫毛の各の配置が、実際の人間のものに合わせて種々に異なったものが準備された請求項１〜３のいずれかの睫毛エクステンション装着練習用マネキン顔。
【請求項５】
前記練習用睫毛の各の太さが実際の人間のものに合わせて種々に異なったものが準備された請求項１〜４のいずれかの睫毛エクステンション装着練習用マネキン顔。
【請求項６】
人間の睫毛が生えている箇所と同じ瞼の端部に、睫毛エクステンションを装着するための練習用睫毛からなる練習用睫毛列が、複数列植毛されており、各練習用睫毛列に植毛された練習用睫毛の長さが人間の睫毛の長さより長いことを特徴とする睫毛エクステンション装着練習用マネキン顔。
【請求項７】
人間の睫毛が生えている箇所と同じ瞼の端部に、睫毛エクステンションを装着するための練習用睫毛からなる、人間の睫毛列の睫毛配列構造と同じか近似する練習用睫毛列が植毛された睫毛エクステンション装着練習用マネキン顔であって、前記練習用睫毛列が、前記瞼の端部と直角な方向に複数列設けられており、各練習用睫毛列に植毛された練習用睫毛の長さが人間の睫毛の長さより長いことを特徴とする睫毛エクステンション装着練習用マネキン顔。
【請求項８】
各練習用睫毛列における前記練習用睫毛の本数が、人間の睫毛の本数より多い請求項６または７の睫毛エクステンション装着練習用マネキン顔。
【請求項９】
各練習用睫毛列における前記練習用睫毛が、ランダムに植毛されている請求項６〜８のいずれかの睫毛エクステンション装着練習用マネキン顔。
【請求項１０】
各練習用睫毛列における前記練習用睫毛の各の配置が、実際の人間のものに合わせて種々に異なったものが準備された請求項６〜９のいずれかの睫毛エクステンション装着練習用マネキン顔。
【請求項１１】
各練習用睫毛列における前記練習用睫毛の各の太さが実際の人間のものに合わせて種々に異なったものが準備された請求項６〜１０のいずれかの睫毛エクステンション装着練習用マネキン顔。
【請求項１２】
前記練習用睫毛が植毛された睫毛植毛区域をもつ瞼部分含む目相当部分が取り替え可能である請求項１〜１１のいずれかの睫毛エクステンション装着練習用マネキン顔。」
【請求項１３】
請求項１〜１２のいずれかの睫毛エクステンション装着練習用マネキン顔に植毛された練習用睫毛を使用し、該練習用睫毛の先端へ睫毛エクステンションを装着するステップ（ａ）、この睫毛エクステンションが装着された練習用睫毛の該睫毛エクステンションが装着された部分より僅かに根元側に近い箇所で、練習用睫毛を切断するステップ（ｂ）、および上記（ａ）と（ｂ）のステップを数回に亘って繰り返すステップ（ｃ）を備え、以上により練習用睫毛への睫毛エクステンションの装着の練習する睫毛エクステンション装着練習方法。
【発明の詳細な説明】
【技術分野】
【０００１】
本発明は、睫毛エクステンション装着練習用マネキン顔およびこの睫毛エクステンション装着練習用マネキン顔を使用しての睫毛エクステンション装着練習方法を提供する。
【背景技術】
【０００２】
睫毛エクステンション（以下、単にエクステンションと称することがある）は、例えば特許第４９８１９８３号公報に示されているように、人間の睫毛一本一本に装着される。その装着作業は、例えばまつげエクステ技術者等と呼ばれている施術者により行われている。しかしながら、その装着時間には相当の時間を要し。しかも、この装着時には、ピンセット等が用いられて行われるため、危険が伴う。
【０００３】
したがって、その装着には、熟練が必要であり、そのため、十分な練習が必要である。従来は、この練習を、付け睫毛を紙コップやマネキン顔に付け、その付け睫毛の人口毛を用いて行われていた。
【先行技術文献】
【特許文献】
【０００４】
【特許文献１】特許第４９８１９８３号公報
【発明の概要】
【発明が解決しようとする課題】
【０００５】
しかしながら、従来のように、土台が紙コップでは臨場感に乏しく、かつエクステンションを装着する素材が付け睫毛では、人間の睫毛とはその間隔、配列が大いに異なり、良好な装着練習を行うことができないという問題があった。
【０００６】
そこで、本発明の発明者は、マネキン顔に練習用の睫毛を人間に近い状態で植毛し、これをエクステンション装着用として用いることを考えた。このマネキン顔は、エクステンション装着練習用としては、極めて好ましいものではあったが、１回練習を行うと、そのマネキン顔は使い物にならなくならないために、廃棄するか、あるはそのマネキン顔を作成した工場で睫毛を植え直し、再生しなければならないという問題があった。
【０００７】
そこで、本発明は、エクステンション装着用の睫毛が植毛されており、しかもそれを数回にわたって使用できる睫毛エクステンション装着練習用マネキン顔およびこの睫毛エクステンション装着練習用マネキン顔を使用しての睫毛エクステンション装着練習方法を提供することを目的とするものである。
【課題を解決するための手段】
【０００８】
本発明の上記課題は、以下の（１）〜（１３）の構造の睫毛エクステンション装着練習用マネキン顔によって達成することができる。
（１）
人間の睫毛が生えている箇所と同じ瞼の端部に、睫毛エクステンションを装着するための練習用睫毛が植毛された睫毛エクステンション装着練習用マネキン顔であって、前記練習用睫毛の長さが人間の睫毛の長さより長いことを特徴とする睫毛エクステンション装着練習用マネキン顔。
（２）
前記練習用睫毛の本数が、人間の睫毛の本数より多い上記（１）の睫毛エクステンション装着練習用マネキン顔。
（３）
前記練習用睫毛が、ランダムに植毛されている上記（１）または（２）の睫毛エクステンション装着練習用マネキン顔。
（４）
前記練習用睫毛の各の配置が、実際の人間のものに合わせて種々に異なったものが準備された上記（１）〜（３）のいずれかの睫毛エクステンション装着練習用マネキン顔。
（５）
前記練習用睫毛の各の太さが実際の人間のものに合わせて種々に異なったものが準備された上記（１）〜（４）のいずれかの睫毛エクステンション装着練習用マネキン顔。
（６）
人間の睫毛が生えている箇所と同じ瞼の端部に、睫毛エクステンションを装着するための練習用睫毛からなる練習用睫毛列が、複数列植毛されており、各練習用睫毛列に植毛された練習用睫毛の長さが人間の睫毛の長さより長いことを特徴とする睫毛エクステンション装着練習用マネキン顔。
（７）
人間の睫毛が生えている箇所と同じ瞼の端部に、睫毛エクステンションを装着するための練習用睫毛からなる、人間の睫毛列の睫毛配列構造と同じか近似する練習用睫毛列が植毛された睫毛エクステンション装着練習用マネキン顔であって、前記練習用睫毛列が、前記瞼の端部と直角な方向に複数列設けられており、各練習用睫毛列に植毛された練習用睫毛の長さが人間の睫毛の長さより長いことを特徴とする睫毛エクステンション装着練習用マネキン顔。
（８）
各練習用睫毛列における前記練習用睫毛の本数が、人間の睫毛の本数より多い上記（６）または（７）の睫毛エクステンション装着練習用マネキン顔。
（９）
各練習用睫毛列における前記練習用睫毛が、ランダムに植毛されている上記（６）〜（８）のいずれかの睫毛エクステンション装着練習用マネキン顔。
（１０）
各練習用睫毛列における前記練習用睫毛の各の配置が、実際の人間のものに合わせて種々に異なったものが準備された上記（６）〜（９）のいずれかの睫毛エクステンション装着練習用マネキン顔。
（１１）
各練習用睫毛列における前記練習用睫毛の各の太さが実際の人間のものに合わせて種々に異なったものが準備された上記（６）〜（１０）のいずれかの睫毛エクステンション装着練習用マネキン顔。
（１２）
前記練習用睫毛が植毛された睫毛植毛区域をもつ瞼部分含む目相当部分が取り替え可能である上記（１）〜（１１）のいずれかの睫毛エクステンション装着練習用マネキン顔。
（１３）
上記（１）〜（１２）のいずれかの睫毛エクステンション装着練習用マネキン顔に植毛された練習用睫毛を使用し、該練習用睫毛の先端へ睫毛エクステンションを装着するステップ（ａ）、この睫毛エクステンションが装着された練習用睫毛の該睫毛エクステンションが装着された部分より僅かに根元側に近い箇所で、練習用睫毛を切断するステップ（ｂ）、および上記（ａ）と（ｂ）のステップを数回に亘って繰り返すステップ（ｃ）を備え、以上により練習用睫毛への睫毛エクステンションの装着の練習する睫毛エクステンション装着練習方法。
【発明の効果】
【０００９】
本発明においては、練習者が、睫毛エクステンション装着練習睫毛が実際に植毛されているマネキン顔を用いてエクステンションの装着練習を行うことができるので、臨場感あふれた練習を行うことができる。しかも、本発明のマネキン顔において、練習用睫毛の長さが人間の睫毛の長さより長いので、数度にわたって使用でき経済的である。
【図面の簡単な説明】
【００１０】
【図１】本発明の実施の形態による睫毛エクステンション装着練習用マネキン顔の正面図である。
【図２】図１のマネキン顔の側面図である。
【図３】図１および図２のマネキン顔の特徴部分である睫毛部分を拡大して示した斜視図である。
【図４】図１〜３に示した睫毛エクステンション装着練習用マネキン顔を使用しての睫毛エクステンション装着練習方法を説明するための図である。
【図５】睫毛エクステンション装着練習方法のステップを説明するための図である。
【図６】本発明の睫毛エクステンション装着練習用マネキン顔に植毛される練習用睫毛における睫毛列の一例を示す図である。
【図７】本発明の他の実施の形態による睫毛エクステンション装着練習用マネキン顔の斜視図である。
【図８】図７のマネキン顔において目相当部分を取り外した状態で示した図である。
【図９】他の形態の目相当部分を有するマネキン顔の図８と同様の図である。
【発明を実施するための形態】
【００１１】
以下、添付図面を参照しつつ、本発明の実施形態による睫毛エクステンション装着練習用マネキン顔について説明する。ここで睫毛エクステンションとは、人間の睫毛を延長するために用いられる人口睫毛であって、人間の睫毛の一本一本に装着されて使用される。
【００１２】
本発明の実施形態による睫毛エクステンション装着練習用マネキン顔１０は、全体がシリコーン樹脂のような人間の肌の感触に近い素材で形成されていることが好ましく、全体としては、臨場感を持たせるため、人間の顔に近い構成配置や凹凸となっている。なお、図２に示したように、本マネキン顔１０の頭部後部は、平坦になっていることが好ましい。この平坦を利用して、マネキン顔１０を平坦な台（机）等の上に配置し、エクステンションの装着練習ができるようにするためである。このマネキン顔１０には、人間の睫毛が生えている箇所と同じ瞼の端部（睫毛植毛区域１２）に、睫毛エクステンションを装着するための練習用睫毛１４が植毛されている。なお、図３においては、簡単のため、片側の練習用睫毛１４を省略して示した。
【００１３】
上記練習用睫毛１４は、人間の睫毛の長さより長く、好ましくは２倍〜４倍程度であることが好ましい。一本の練習用睫毛を数回に亘っての練習に使用できるようにするためである。
本練習用睫毛１４は、例えば、合成樹脂（典型的には、ナイロン、ポリプチレンテレフタレート、ポリエステル、アクリル、塩化ビニール、ナイロン）、または天然素材の材料（例えば、動物由来の材料（典型的には、人毛、獣毛（狸、ミンクなどの毛）、または、シルク）、植物由来の材料（典型的には綿））から形成されている。この練習用睫毛１４の素材は、エクステンション（図示せず）の装着練習用になるならどのような素材を用いることも可能である。
【００１４】
次に、図４および図５を参照して、上述した睫毛エクステンション装着練習用マネキン顔１０を用いての睫毛エクステンション装着練習方法について説明する。
【００１５】
練習にあたっては、練習者が、一方の手（手の平をマネキン顔１０のおでこの部分に載せた状態で）で把持したピンセットでエクステンションを装着すべき練習用睫毛１４一本を取り分け、これに、他方の手（手の平をマネキン顔１０のおでこの部分に載せた状態で）で把持したピンセットで把持したエクステンションを装着する。この装着には、例えば、グルーと呼ばれる接着剤が用いられる。
【００１６】
具体的には、図５（ａ）に示したように、睫毛エクステンション装着練習用マネキン顔に植毛された練習用睫毛１４を使用し、該練習用睫毛１４の各の先端へ睫毛エクステンションＥ１を装着する。実際には、全ての練習用睫毛１４に睫毛エクステンションＥを装着するが、図では一部のみを示した。次いで、この睫毛エクステンションＥ１が装着された練習用睫毛１４の該睫毛エクステンションＥ１が装着された部分より僅かに根元側に近い箇所で、すなわち、図５（ｂ）の左側の図に示したカット線Ｃに沿い練習用睫毛１４の先側部分を図４に示したようにして切断する。
【００１７】
続いて、上記したように先側部分がカットされた練習用睫毛１４の各の先端へ、図５（ｂ）の左側の図に示したように、上記と同様に睫毛エクステンションＥ２を装着し、その後、図５（ｃ）および図５（ｄ）に示したように、上記のステップを数回に亘って繰り返し（睫毛エクステンションはＥ３、Ｅ４で示した）、以上により練習用睫毛への睫毛エクステンションの装着の練習を行う。
【００１８】
上記練習用睫毛１４は、上記睫毛植毛区域１２に人間の睫毛の本数より多く植毛されていることが好ましい。この練習用睫毛１４の本数としては、人間の睫毛の本数の２倍から６倍、特に３倍から５倍が好ましい。
【００１９】
上記睫毛植毛区域１２においては、練習用睫毛１４は、ランダムに配置されて植毛されていてもよいが、人間の睫毛のように練習用睫毛列として構成されて植毛されていることが好ましい。この練習用睫毛列は、人間の睫毛列の睫毛配列構造と同じか近似する睫毛列が植毛されていることが好ましい。すなわち、人間の睫毛列においては、睫毛が単に一直線に並んでおらず、ジグザグに並んでいる場合のほうがむしろ一般的であるので、そのように配置してもよい。
【００２０】
そして、この睫毛列は、複数列、特に前記瞼の端部と直角な方向に複数層、例えば図６にL1〜L4で示されているように複数列配列されていることが好ましい。
【００２１】
この睫毛列は、人間の睫毛列の睫毛植毛配列構造すなわち睫毛の植毛配置構造（睫毛同士の間隔等）と同じか近似する練習用睫毛列となっていることが好ましい。この練習用睫毛列における練習用睫毛の本数も、人間の睫毛の本数より多いことが好ましい。この植毛配置構造は、人種等によって異なるので、練習用のためには、それらが異なった睫毛エクステンション装着練習用マネキン顔を種々準備することが好ましい。あるいは、この練習用睫毛列における練習用睫毛の本数も、人間の睫毛の本数より多いことが好ましい。
【００２２】
また、睫毛の太さやこしは、年、人種等によって異なるので、それらが異なった睫毛エクステンション装着練習用マネキン顔を準備することが好ましい。
【００２３】
図６に示した練習用睫毛列を用いる場合には、その装着は、例えば図６の睫毛列L４の一本一本の練習用睫毛１４に行われ、睫毛列L４の練習用睫毛１４の全部にエクステンションが装着されると、上記練習用睫毛１４は、図４および図５に示したようにその先側部分が切断される。以下は、上記と同様にしてステップを繰り返し、これが各列に行われる。
【００２４】
次に、他の実施の形態による睫毛エクステンション装着練習用マネキン顔１１０について図７以降を参照して説明する。
このマネキン顔１１０は、マネキン顔本体１１０ａ、およびこのマネキン顔本体１１０ａに対して図８および図９に示したように取り替え（着脱）可能であり、練習用睫毛１１４が植毛された睫毛植毛区域１１２を備える目相当部分１１６を備えている。この取り替え用目相当部分１１６には、前に装着されていた目相当部分１１６に植毛されていた練習用睫毛１１４と同じ練習用睫毛１１４が植毛されていても、また後に説明するような別の練習用睫毛１１４ａ（別の配列も含む）が植毛されていてもよい。
【００２５】
この取り替え用目相当部分１１６も、上記したシリコーン樹脂のような人間の肌の感触に近い素材で形成され、マネキン顔本体１１０ａに装着されたとき、特別な手段を用いずに、マネキン顔本体１０ａに対して固定されるものが好ましい。
【００２６】
この取り替え用目相当部分１１６に植毛された練習用睫毛の本数は、上記の実施の態様の場合と同様、人間の睫毛の本数より多いことが好ましい。また、前記練習用睫毛は、ランダムに植毛されていてもよい。更には、練習用睫毛の各の配置が、実際の人間のものに合わせて種々に異なったものが準備されていることが好ましい。更にまた、前記練習用睫毛の各の太さが実際の人間のものに合わせて種々に異なったものが準備されていることが好ましい。
【００２７】
この取り替え用目相当部分１１６においても、睫毛エクステンションを装着するための練習用睫毛からなる練習用睫毛列が、複数列植毛されていることが好ましい。前記複数の練習用睫毛列は、前記瞼の端部と直角な方向に複数列設けられていることが好ましい。これらの場合においても、各練習用睫毛列に植毛された練習用睫毛の長さが人間の睫毛の長さより長く、各練習用睫毛列における前記練習用睫毛の本数が、人間の睫毛の本数より多い事が好ましい。また、各練習用睫毛列における前記練習用睫毛が、ランダムに植毛されていてもよい。更に、各練習用睫毛列における前記練習用睫毛の各の配置が、実際の人間のものに合わせて種々に異なったものが準備されていることが好ましい。更にまた、各練習用睫毛列における前記練習用睫毛の各の太さが実際の人間のものに合わせて種々に異なったものが準備されていることが好ましい。
【００２８】
以上説明した全ての態様において、取り替え用目相当部分１１６に植毛された練習用睫毛が全て練習用に使用された後は、新しいものと取り替えられる。
【００２９】
以上説明したように、本発明においては、練習者が、睫毛エクステンション装着練習睫毛が実際に植毛されているマネキン顔を用いてエクステンションの装着練習を行うことができるので、臨場感あふれた練習を行うことができる。しかも、本発明のマネキン顔において、実際の人間に生えている睫毛の長さより、長い練習用睫毛が植毛されているので、数度にわたって使用でき経済的である。
【符号の説明】
【００３０】
１０  睫毛エクステンション装着練習用マネキン顔
１２  睫毛植毛区域
１４  練習用睫毛
１１０  睫毛エクステンション装着練習用マネキン顔
１１２  睫毛植毛区域
１１４  練習用睫毛
１１６  取り替え用目相当部分
Ｅ１，Ｅ２，Ｅ３，Ｅ４  睫毛エクステンション
Ｃ  カット線
【図１】
2014136091.tif 000003
【図２】
2014136091.tif 000004
【図３】
2014136091.tif 000005
【図４】
2014136091.tif 000006
【図５】
2014136091.tif 000007
【図６】
2014136091.tif 000008
【図７】
2014136091.tif 000009
【図８】
2014136091.tif 000010
【図９】
2014136091.tif 000011
【手続補正書】
【提出日】平成25年5月10日(2013.5.10)
【手続補正１】
【補正対象書類名】特許請求の範囲
【補正対象項目名】全文
【補正方法】変更
【補正の内容】
【特許請求の範囲】
【請求項１】
人間の睫毛が生えている箇所と同じ瞼の端部に、睫毛エクステンションを装着するための練習用睫毛が植毛された睫毛エクステンション装着練習用マネキン顔であって、前記練習用睫毛は、一本の練習用睫毛を数回に亘っての練習に使用できるように、人間の睫毛の長さより２倍〜４倍長いことを特徴とする睫毛エクステンション装着練習用マネキン顔。
【請求項２】
前記練習用睫毛の本数が、人間の睫毛の本数より多い請求項１の睫毛エクステンション装着練習用マネキン顔。
【請求項３】
前記練習用睫毛が、ランダムに植毛されている請求項１または２の睫毛エクステンション装着練習用マネキン顔。
【請求項４】
前記練習用睫毛の各の配置が、実際の人間のものに合わせて種々に異なったものが準備された請求項１〜３のいずれかの睫毛エクステンション装着練習用マネキン顔。
【請求項５】
前記練習用睫毛の各の太さが実際の人間のものに合わせて種々に異なったものが準備された請求項１〜４のいずれかの睫毛エクステンション装着練習用マネキン顔。
【請求項６】
人間の睫毛が生えている箇所と同じ瞼の端部に、睫毛エクステンションを装着するための練習用睫毛からなる練習用睫毛列が、複数列植毛されており、各練習用睫毛列に植毛された練習用睫毛は、一本の練習用睫毛を数回に亘っての練習に使用できるように、人間の睫毛の長さより２倍〜４倍長いことを特徴とする睫毛エクステンション装着練習用マネキン顔。
【請求項７】
人間の睫毛が生えている箇所と同じ瞼の端部に、睫毛エクステンションを装着するための練習用睫毛からなる、人間の睫毛列の睫毛配列構造と同じか近似する練習用睫毛列が植毛された睫毛エクステンション装着練習用マネキン顔であって、前記練習用睫毛列が、前記瞼の端部と直角な方向に複数列設けられており、各練習用睫毛列に植毛された練習用睫毛は、一本の練習用睫毛を数回に亘っての練習に使用できるように、人間の睫毛の長さより２倍〜４倍長さより長いことを特徴とする睫毛エクステンション装着練習用マネキン顔。
【請求項８】
各練習用睫毛列における前記練習用睫毛の本数が、人間の睫毛の本数より多い請求項６または７の睫毛エクステンション装着練習用マネキン顔。
【請求項９】
各練習用睫毛列における前記練習用睫毛が、ランダムに植毛されている請求項６〜８のいずれかの睫毛エクステンション装着練習用マネキン顔。
【請求項１０】
各練習用睫毛列における前記練習用睫毛の各の配置が、実際の人間のものに合わせて種々に異なったものが準備された請求項６〜９のいずれかの睫毛エクステンション装着練習用マネキン顔。
【請求項１１】
各練習用睫毛列における前記練習用睫毛の各の太さが実際の人間のものに合わせて種々に異なったものが準備された請求項６〜１０のいずれかの睫毛エクステンション装着練習用マネキン顔。
【請求項１２】
前記練習用睫毛が植毛された睫毛植毛区域をもつ瞼部分含む目相当部分が取り替え可能である請求項１〜１１のいずれかの睫毛エクステンション装着練習用マネキン顔。
【請求項１３】
請求項１〜１２のいずれかの睫毛エクステンション装着練習用マネキン顔に植毛された練習用睫毛を使用し、該練習用睫毛の先端へ睫毛エクステンションを装着するステップ（ａ）、この睫毛エクステンションが装着された練習用睫毛の該睫毛エクステンションが装着された部分より僅かに根元側に近い箇所で、練習用睫毛を切断するステップ（ｂ）、および上記（ａ）と（ｂ）のステップを数回に亘って繰り返すステップ（ｃ）を備え、以上により練習用睫毛への睫毛エクステンションの装着の練習する睫毛エクステンション装着練習方法。
【手続補正２】
【補正対象書類名】明細書
【補正対象項目名】０００８
【補正方法】変更
【補正の内容】
【０００８】
本発明の上記課題は、以下の（１）〜（１３）の構造の睫毛エクステンション装着練習用マネキン顔によって達成することができる。
（１）
人間の睫毛が生えている箇所と同じ瞼の端部に、睫毛エクステンションを装着するための練習用睫毛が植毛された睫毛エクステンション装着練習用マネキン顔であって、前記練習用睫毛は、一本の練習用睫毛を数回に亘っての練習に使用できるように、人間の睫毛の長さより２倍〜４倍長いことを特徴とする睫毛エクステンション装着練習用マネキン顔。
（２）
前記練習用睫毛の本数が、人間の睫毛の本数より多い上記（１）の睫毛エクステンション装着練習用マネキン顔。
（３）
前記練習用睫毛が、ランダムに植毛されている上記（１）または（２）の睫毛エクステンション装着練習用マネキン顔。
（４）
前記練習用睫毛の各の配置が、実際の人間のものに合わせて種々に異なったものが準備された上記（１）〜（３）のいずれかの睫毛エクステンション装着練習用マネキン顔。
（５）
前記練習用睫毛の各の太さが実際の人間のものに合わせて種々に異なったものが準備された上記（１）〜（４）のいずれかの睫毛エクステンション装着練習用マネキン顔。
（６）
人間の睫毛が生えている箇所と同じ瞼の端部に、睫毛エクステンションを装着するための練習用睫毛からなる練習用睫毛列が、複数列植毛されており、各練習用睫毛列に植毛された練習用睫毛は、一本の練習用睫毛を数回に亘っての練習に使用できるように、人間の睫毛の長さより２倍〜４倍長いことを特徴とする睫毛エクステンション装着練習用マネキン顔。
（７）
人間の睫毛が生えている箇所と同じ瞼の端部に、睫毛エクステンションを装着するための練習用睫毛からなる、人間の睫毛列の睫毛配列構造と同じか近似する練習用睫毛列が植毛された睫毛エクステンション装着練習用マネキン顔であって、前記練習用睫毛列が、前記瞼の端部と直角な方向に複数列設けられており、各練習用睫毛列に植毛された練習用睫毛は、一本の練習用睫毛を数回に亘っての練習に使用できるように、人間の睫毛の長さより２倍〜４倍長さより長いことを特徴とする睫毛エクステンション装着練習用マネキン顔。
（８）
各練習用睫毛列における前記練習用睫毛の本数が、人間の睫毛の本数より多い上記（６）または（７）の睫毛エクステンション装着練習用マネキン顔。
（９）
各練習用睫毛列における前記練習用睫毛が、ランダムに植毛されている上記（６）〜（８）のいずれかの睫毛エクステンション装着練習用マネキン顔。
（１０）
各練習用睫毛列における前記練習用睫毛の各の配置が、実際の人間のものに合わせて種々に異なったものが準備された上記（６）〜（９）のいずれかの睫毛エクステンション装着練習用マネキン顔。
（１１）
各練習用睫毛列における前記練習用睫毛の各の太さが実際の人間のものに合わせて種々に異なったものが準備された上記（６）〜（１０）のいずれかの睫毛エクステンション装着練習用マネキン顔。
（１２）
前記練習用睫毛が植毛された睫毛植毛区域をもつ瞼部分含む目相当部分が取り替え可能である上記（１）〜（１１）のいずれかの睫毛エクステンション装着練習用マネキン顔。
（１３）
上記（１）〜（１２）のいずれかの睫毛エクステンション装着練習用マネキン顔に植毛された練習用睫毛を使用し、該練習用睫毛の先端へ睫毛エクステンションを装着するステップ（ａ）、この睫毛エクステンションが装着された練習用睫毛の該睫毛エクステンションが装着された部分より僅かに根元側に近い箇所で、練習用睫毛を切断するステップ（ｂ）、および上記（ａ）と（ｂ）のステップを数回に亘って繰り返すステップ（ｃ）を備え、以上により練習用睫毛への睫毛エクステンションの装着の練習する睫毛エクステンション装着練習方法。